(57)【要約】【課題】真空断熱材を用いても施工時に傷が付くことがなく、施工性が良好でありかつ製造コスト的に有利であり、夏期および冬期における断熱性に優れた断熱パネル、および屋根裏の断熱構造を提供すること。【解決手段】両端部に立ち上がり部を有する矩形の板状樹脂発泡体と真空断熱材とからなり、該真空断熱材が上記樹脂発泡体の両立ち上がり部間に載置され、該真空断熱材の両面のうちの一方の面が、上記樹脂発泡体に接していることを特徴とする断熱パネル。【選択図】図１
2007332543.tif 000002
【特許請求の範囲】
【請求項１】
両端部に立ち上がり部を有する矩形の板状樹脂発泡体と真空断熱材とからなり、該真空断熱材が上記樹脂発泡体の両立ち上がり部間に載置され、該真空断熱材の両面のうちの一方の面が、上記樹脂発泡体に接していることを特徴とする断熱パネル。
【請求項２】
前記立ち上がり部の高さ（β）が、５〜６０ｍｍである請求項１に記載の断熱パネル。
【請求項３】
前記樹脂発泡体の立ち上がり部の内側に少なくとも１個の突起が形成され、該突起によって真空断熱材が保持されている請求項１または２に記載の断熱パネル。
【請求項４】
前記板状樹脂発泡体の形状が、中空部を有する筒状である請求項１または２に記載の断熱パネル。
【請求項５】
前記樹脂発泡体の中空部の内側に少なくとも１個の突起が形成され、該突起によって真空断熱材が保持されている請求項４に記載の断熱パネル。
【請求項６】
前記真空断熱材が、芯材と外被とからなり、外被が金属層を有している請求項１〜５の何れか１項に記載の断熱パネル。
【請求項７】
請求項１〜６のいずれか１項に記載の断熱パネルが、屋根裏構造を構成している垂木間に配されていることを特徴とする屋根裏の断熱構造。
【請求項８】
断熱パネルの短辺（幅）が、隣接する垂木の内側側面同士の間隔に対して同等以上であって、該断熱パネルが隣接する垂木間に保持されている請求項７に記載の断熱構造。
【発明の詳細な説明】
【技術分野】
【０００１】
本発明は、断熱パネルおよび屋根裏の断熱構造に関し、さらに詳しくは、安価であり、断熱性、取扱性および施工性などに優れた断熱パネルおよび該断熱パネルを用いた屋根裏の断熱構造に関する。
【背景技術】
【０００２】
屋根用断熱材としては、断熱性を有しつつ、外気と室内との温度差によって発生する結露によって野地板や垂木の腐敗を防止するため、屋根裏の熱気または湿気を大気中に排出するのために通気路を有することが好ましい。特許文献１には、屋根裏構造の垂木間に装着する樹脂発泡体製の断熱パネルが記載されている。この断熱パネルは野地板側に通気路が形成され、該通気路によって野地板と断熱パネルとの間の熱気または湿気を外部に放出させて、内外の温度差を小さくさせて、断熱効果を高めている。
【０００３】
また、特許文献２には、断熱性能を向上させ、厚みを薄くできる断熱材として、真空断熱材を壁または屋根用断熱材として使用することが記載され、また、特許文献３には、連続気泡硬質ポリウレタンフォーム成形体を真空包装した真空断熱材が提案されている。
【特許文献１】特許第２５８７９６０号公報
【特許文献２】特開２００４−２０４６０６号公報
【特許文献３】特開２００４−１７４２４号公報
【発明の開示】
【発明が解決しようとする課題】
【０００４】
しかし、特許文献１に記載の樹脂発泡体からなる断熱パネルでは、特に夏期における屋根裏の断熱性能が不十分である。このような断熱パネルでは、夏期の屋根裏の温度を上昇させないために、断熱材を厚くしなければならない。しかしながら、一般的な屋根の小屋組構造上、断熱材を厚くすることはできず、結果として十分な断熱性能は得られていない。
【０００５】
また、特許文献２に記載の真空断熱材を屋根用断熱材として用いる場合には、施工時における該断熱材が傷付き易く、傷付きによって容易に断熱性が失われるという問題があった。このため、施工時にぶっつけや釘うちなどの外的な衝撃を避けるため、柱などの軸材より離して真空断熱材を設置する必要があり、この場合でも結果として断熱性が損なわれるといった問題を有していた。さらに真空断熱材は薄いために、これを垂木間に配置させると、施工方法によっては自重で落ち易く、また、該断熱材を拡寸にした場合、該断熱材が撓み易く、また、真空断熱材は表皮材として金属層を有する場合が多く、この場合に端部が熱橋となり、結果として断熱性が損なわれるといった問題を有していた。
【０００６】
さらに特許文献３に記載の断熱パネルは、真空断熱材は保護されるものの、その製造時にパネルケースに真空断熱材を配置させた後、空洞が生じないようにウレタン原液を注入して製造するために、製法上煩雑となり経済的に好ましくない。また、特許文献３に記載された断熱パネルは、優れた断熱性能を有するものの、屋根用断熱材として用いた場合には、より優れた断熱性が要求される場合があった。
【０００７】
従って本発明の目的は、真空断熱材を用いても施工時に傷が付くことがなく、施工性が良好でありかつ製造コスト的に有利であり、夏期および冬期における断熱性に優れた断熱パネル、および屋根裏の断熱構造を提供することである。
【課題を解決するための手段】
【０００８】
上記目的は以下の本発明によって達成される。すなわち、本発明は、両端部に立ち上がり部を有する矩形の板状樹脂発泡体と真空断熱材とからなり、該真空断熱材が上記樹脂発泡体の両立ち上がり部間に載置され、該真空断熱材の両面のうちの一方の面が、上記樹脂発泡体に接していることを特徴とする断熱パネルを提供する。
【０００９】
上記断熱パネルにおいては、前記立ち上がり部の高さ（β）が、５〜６０ｍｍであること；前記樹脂発泡体の立ち上がり部の内側に少なくとも１個の突起が形成され、該突起によって真空断熱材が保持されていること；および前記板状樹脂発泡体の形状が、中空部を有する筒状であることが好ましい。
【００１０】
また、上記断熱パネルにおいては、前記樹脂発泡体の中空部の内側に少なくとも１個の突起が形成され、該突起によって真空断熱材が保持されていること；および前記真空断熱材が、芯材と外被とからなり、外被が金属層を有していることが好ましい。
【００１１】
また、本発明は、上記本発明の断熱パネルが、屋根裏構造を構成している垂木間に配されていることを特徴とする屋根裏の断熱構造を提供する。該断熱構造においては、断熱パネルの短辺（幅）が、隣接する垂木の内側側面同士の間隔に対して同等以上であって、該断熱パネルが隣接する垂木間に保持されていることが好ましい。
【発明の効果】
【００１２】
本発明によれば、真空断熱材を用いても施工時に傷が付くことがなく、施工性が良好でありかつ製造コスト的に有利であり、夏期および冬期における断熱性に優れた断熱パネル、および屋根裏の断熱構造を提供することができる。
【発明を実施するための最良の形態】
【００１３】
次に図面に示す好ましい実施の形態に基づいて本発明をさらに詳しく説明する。
本発明の１実施形態の断熱パネル１００は、図１に示す全体斜視図に示すように、両端部に立ち上がり部１、１’を有する矩形の板状樹脂発泡体Ａと真空断熱材Ｂとからなり、該真空断熱材Ｂが上記樹脂発泡体Ａの両立ち上がり部１、１’間に載置され、該真空断熱材Ｂの両面のうちの一方の面が、上記樹脂発泡体Ａに接している、すなわち、真空断熱材Ｂの一方の面は開放されていることを特徴としている。
【００１４】
上記の樹脂発泡体Ａは、何れの樹脂の発泡体でもよいが、成形性の点からはポリウレタン系発泡体であることが好ましい。ポリウレタン系発泡体は、ポリオール成分とポリイソシアネート成分と発泡剤とを混合し、所定の型内に注入して発泡成形することによって任意の形状で得られる。断熱性と強度との関係で発泡体の発泡倍率は、２０〜９０倍程度が好ましく、３０〜６０倍であることが最も好ましい。
【００１５】
本発明で使用する上記樹脂発泡体Ａは、図１に示す如く、両端部に立ち上がり部１、１’を有する矩形に形成されている。該樹脂発泡体Ａの長さ（Ｌ）は５００〜２，０００ｍｍ程度であり、幅（Ｗ）は、後述するように隣接する垂木の間隔に合うように３００〜５００ｍｍ程度であり、両端部に立ち上がり部１、１’の高さ（α）は後述するように垂木の幅に合わせて３０〜２００ｍｍ程度であり、立ち上がり部１、１’の幅（γ）は５〜５０ｍｍ程度であり、中央に形成される凹部の深さ（β）は後述するように真空断熱材の厚さに鑑みて５〜６０ｍｍ程度にすることが好ましく、７〜３５ｍｍであることがより好ましい。高さ（β）が５ｍｍ未満では、真空断熱材の表面に十分な通気路（凹部２）を確保することができないばかりか、立ち上がり部には幅方向に真空断熱材を有していないため、立ち上がり部の断熱性を損なうため好ましくない。また、施工時に外部の影響を受け易くなり、傷つきの点からも好ましくない。
【００１６】
本発明で使用する真空断熱材Ｂは、ガラス繊維が積層されてなる芯材が外被袋で包被され、かつ外被袋内が減圧されている断熱材である。該真空断熱材自体は公知であり、公知の何れの真空断熱材も本発明で使用することができる。好ましい真空断熱材Ｂは、その外被がアルミニウム蒸着ポリエチレンフィルムの如く、少なくとも１層の金属層を含むものである。このような金属層を含むことにより、特に夏期における断熱性（遮熱性）が向上する。これらの真空断熱材Ｂの厚みは通常１〜３０ｍｍ程度であり、幅は１００〜５００ｍｍ程度であるので、前記のように樹脂発泡体Ａの凹部２の形状は上記真空断熱材Ｂのサイズと略同一とする。
【００１７】
上記真空断熱材Ｂを前記樹脂発泡体Ａの凹部２に固定することで本発明の断熱パネル１００が得られる。真空断熱材Ｂの固定方法は、接着剤の使用など、特に限定されないが、例えば、図２に示すように前記樹脂発泡体Ａの立ち上がり部１、１’の内側に少なくとも１個の突起３を形成しておき、真空断熱材Ｂの柔軟性を利用して押し込み、突起３によって真空断熱材Ｂを保持することが好ましい。
【００１８】
図３は、本発明の別の実施形態の断熱パネル１００の構造を説明する図である。この実施形態の断熱パネルは、樹脂発泡体Ａの形状が中空部４（凹部２）を有する筒状に形成されている以外は、前記実施形態と同様である。この場合は断熱パネルの搬送や施工の際に真空断熱材を保護する点で好適であり、中空部を有することで断熱性がより向上するものである。また、この実施形態においても、前記と同様な理由で前記中空部４の厚み（β）は５〜６０ｍｍであることが好ましく、７〜３５ｍｍであることがより好ましい。また、図４に示したように、前記樹脂発泡体Ａの中空部４の内側に少なくとも１個の突起５を形成しておき、該突起５によって真空断熱材Ｂが保持されていることが好ましい。また、図示していないが、前記樹脂発泡体Ａの中空部４の内側には、図２に示されるような突起３を形成しておき、突起５と併用し、または突起３単独で真空断熱材Ｂを保持することも好適に採用される。
【００１９】
さらに本発明の断熱パネル１００においては、図５（ａ）、（ｂ）に示すように樹脂発泡体Ａの立ち上がり部１の外側表面に突出片６、７を設けておくことが好ましい。このような突出片６、７を設けておくことによって、後述するように隣接する垂木間の間隔が多少変動しても、垂木間に断熱パネル１００を樹脂発泡体Ａの圧縮反発力によって垂木間に保持することができる。
【００２０】
また、本発明は、上記本発明の断熱パネルが、屋根裏構造を構成している垂木間に配されていることを特徴とする屋根裏の断熱構造を提供する。該断熱構造の１実施形態を図６に示す。図６に示す実施形態は、複数本の垂木８と該垂木８上に貼設されている野地板９、ルーフィング材１０、屋根材１１とから構成されている屋根裏構造において、隣接する垂木８間に前記図１に示す断熱パネル１００を施工した例を示している。また、図７に示す断熱構造は、隣接する垂木８間に前記図３に示す断熱パネル１００を施工した例を示している。その他の構成は図６に示す例と同じである。
【００２１】
上記断熱パネル１００の施工に際しては、好ましくは断熱パネル１００の短辺（幅）を、隣接する垂木８の内側側面同士の間隔よりも大きくしておいて、断熱パネル１００を幾分圧縮しつつ垂木８間に押し込むことで、断熱パネル１００の反発力によって断熱パネル１００を隣接する垂木８間に確実に保持させることができる。特に図５に示すように断熱パネル１００の立ち上がり部１、１の外側に突出片６、７を設けておくことで、さらに断熱パネル１００の垂木８間への固定を確実にすることができる。また、断熱パネル１００をより確実に固定させるために図８に示すように断熱パネル１００の下に受け材１２を設けることが好ましい。
【００２２】
上記断熱構造においては、夏期において日射により屋根材１１、ルーフィング材１０および野地板９が昇温し、その熱が屋根裏に放射されるが、真空断熱材Ｂの表面は蒸着層などの金属層が配置されているので、屋根材１１などからの屋根裏および居室内への熱の放射は遮断される。また、上記放射熱により通気路（凹部２）内の空気も加熱されるが、該加熱された空気は通気路内を上昇し大気中に放出されるので、該空気の温度が極端に上昇することがない。よって通気路内の加熱空気による屋根裏および居室内への熱の放射も遮断される。一方、冬期においては、真空断熱材Ｂが樹脂発泡体Ａにより覆われているため、真空断熱材Ｂのみを断熱材として使用した際に生じ易くなる真空断熱材Ｂの端部の結露が発生しにくくなり、室内外の表面温度が一様化される。
【産業上の利用可能性】
【００２３】
以上の如き本発明によれば、真空断熱材を用いても施工時に傷が付くことがなく、施工性が良好でありかつ製造コスト的に有利であり、夏期および冬期における断熱性に優れた断熱パネル、および屋根裏の断熱構造を提供することができる。
【図面の簡単な説明】
【００２４】
【図１】本発明の断熱パネルを説明する斜視図。
【図２】本発明の断熱パネルを説明する斜視図。
【図３】本発明の断熱パネルを説明する斜視図。
【図４】本発明の断熱パネルを説明する斜視図。
【図５】本発明の断熱パネルの立ち上がり部を説明する図。
【図６】本発明の断熱構造を説明する図。
【図７】本発明の断熱構造を説明する図。
【図８】本発明の断熱構造を説明する図。
【符号の説明】
【００２５】
Ａ：樹脂発泡体
Ｂ：真空断熱材
１、１’：立ち上がり部
２：凹部
３：突起
４：中空部
５：突起
６：突出片
７：突出片
８：垂木
９：野地板
１０：ルーフィング材
１１：屋根材
１２：受け材
１００：断熱パネル
【図１】
2007332543.tif 000003
【図２】
2007332543.tif 000004
【図３】
2007332543.tif 000005
【図４】
2007332543.tif 000006
【図５】
2007332543.tif 000007
【図６】
2007332543.tif 000008
【図７】
2007332543.tif 000009
【図８】
2007332543.tif 000010